(57)【特許請求の範囲】
【請求項１】
複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得手段と、
前記取得手段が取得した情報に基づき、各種電力の電力量［Ｗｈ］を算出する算出手段と、
を有する処理装置。
【請求項２】
請求項１に記載の処理装置において、
前記取得手段は、前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値をさらに取得する処理装置。
【請求項３】
請求項２に記載の処理装置において、
前記算出手段は、
複数種類の前記充放電指令値［Ｗ］に基づき算出された統合充放電指令値［Ｗ］、又は、前記統合充放電指令値［Ｗ］の積算値［Ｗｈ］から、前記充放電実測値を算出する補正係数を算出し、
前記補正係数で補正後の前記充放電指令値［Ｗ］に基づき、各種電力の電力量［Ｗｈ］を算出する処理装置。
【請求項４】
請求項３に記載の処理装置において、
前記算出手段は、所定時間帯毎に前記補正係数を算出し、各時間帯に対応する前記補正係数で補正後の前記充放電指令値［Ｗ］に基づき、各種電力の電力量［Ｗｈ］を算出する処理装置。
【請求項５】
請求項１から４のいずれか１項に記載の処理装置において、
第１の前記充放電指令値［Ｗ］は、電力需要家のために充放電させる指令値であり、
第２の前記充放電指令値［Ｗ］は、前記電力系統の需給バランス調整のために充放電させる指令値であり、
前記算出手段は、以下の算出式により、電力小売り事業者が前記電力需要家に課金する課金対象の電力量［Ｗｈ］を算出する処理装置。
（課金対象の電力量［Ｗｈ］）＝（所定期間内における前記第１の測定値［Ｗｈ］）−（前記所定期間内における前記第２の測定値［Ｗｈ］）＋（前記所定期間内における前記第２の充放電指令値［Ｗ］の中の放電指令値［Ｗ］の積算値［Ｗｈ］）−（前記所定期間内における前記第２の充放電指令値［Ｗ］の中の充電指令値［Ｗ］の積算値［Ｗｈ］）
【請求項６】
請求項３又は４に記載の処理装置において、
第１の前記充放電指令値［Ｗ］は、前記電力需要家のために充放電させる指令値であり、
第２の前記充放電指令値［Ｗ］は、前記電力系統の需給バランス調整のために充放電させる指令値であり、
前記算出手段は、以下の算出式により、電力小売り事業者が電力需要家に課金する課金対象の電力量［Ｗｈ］を算出する処理装置。
（課金対象の電力量［Ｗｈ］）＝（所定期間内における前記第１の測定値［Ｗｈ］）−（前記所定期間内における前記第２の測定値［Ｗｈ］）＋（前記所定期間内における前記第２の充放電指令値［Ｗ］の中の放電指令値［Ｗ］を前記補正係数で補正した補正後の前記放電指令値［Ｗ］の積算値［Ｗｈ］）−（前記所定期間内における前記第２の充電指令値［Ｗ］の中の充電指令値［Ｗ］を前記補正係数で補正した補正後の前記充電指令値［Ｗ］の積算値［Ｗｈ］）
【請求項７】
請求項３又は４に記載の処理装置において、
前記算出手段は、
（１）所定期間内における所定種類の前記充放電指令値［Ｗ］の中の放電指令値［Ｗ］を前記補正係数で補正した補正後の前記放電指令値［Ｗ］の積算値［Ｗｈ］、
（２）前記所定期間内における所定種類の前記充放電指令値［Ｗ］の中の充電指令値［Ｗ］を前記補正係数で補正した補正後の前記充電指令値［Ｗ］の積算値［Ｗｈ］、及び、
（３）１種類又は複数種類の前記放電指令値［Ｗ］に基づき算出された１つ又は複数の前記（１）の積算値、及び、１種類又は複数種類の前記充電指令値［Ｗ］に基づき算出された１つ又は複数の前記（２）の積算値の中の２つ以上の積算値を用い、所定の演算で算出した電力量［Ｗｈ］、
の中の少なくとも１つを算出する処理装置。
【請求項８】
複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得手段と、
前記取得手段が取得した情報に基づき、各種電力の電力量［Ｗｈ］を算出する算出手段と、
を有する処理装置。
【請求項９】
請求項８に記載の処理装置において、
前記算出手段は、
複数種類の前記充放電指令値［Ｗ］に基づき算出された統合充放電指令値［Ｗ］、又は、前記統合充放電指令値［Ｗ］の積算値［Ｗｈ］から、前記充放電実測値を算出する補正係数を算出し、
前記補正係数で補正後の前記充放電指令値［Ｗ］に基づき、各種電力の電力量［Ｗｈ］を算出する処理装置。
【請求項１０】
請求項９に記載の処理装置において、
前記算出手段は、所定時間帯毎に前記補正係数を算出し、各時間帯に対応する前記補正係数で補正後の前記充放電指令値［Ｗ］に基づき、各種電力の電力量［Ｗｈ］を算出する処理装置。
【請求項１１】
請求項９又は１０に記載の処理装置において、
前記算出手段は、
（１）所定期間内における所定種類の前記充放電指令値［Ｗ］の中の放電指令値［Ｗ］を前記補正係数で補正した補正後の前記放電指令値［Ｗ］の積算値［Ｗｈ］、
（２）前記所定期間内における所定種類の前記充放電指令値［Ｗ］の中の充電指令値［Ｗ］を前記補正係数で補正した補正後の前記充電指令値［Ｗ］の積算値［Ｗｈ］、及び、
（３）１種類又は複数種類の前記放電指令値［Ｗ］に基づき算出された１つ又は複数の前記（１）の積算値、及び、１種類又は複数種類の前記充電指令値［Ｗ］に基づき算出された１つ又は複数の前記（２）の積算値の中の２つ以上を用い、所定の演算で算出した電力量［Ｗｈ］、
の中の少なくとも１つを算出する処理装置。
【請求項１２】
コンピュータが、
複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得工程と、
前記取得工程で取得した情報に基づき、各種電力の電力量［Ｗｈ］を算出する算出工程と、
を実行する処理方法。
【請求項１３】
コンピュータを、
複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得手段、
前記取得手段が取得した情報に基づき、各種電力の電力量［Ｗｈ］を算出する算出手段、
として機能させるプログラム。
【請求項１４】
コンピュータが、
複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得工程と、
前記取得工程で取得した情報に基づき、各種電力の電力量［Ｗｈ］を算出する算出工程と、
を実行する処理方法。
【請求項１５】
コンピュータを、
複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得手段、
前記取得手段が取得した情報に基づき、各種電力の電力量［Ｗｈ］を算出する算出手段、
として機能させるプログラム。
【発明の詳細な説明】
【技術分野】
【０００１】
本発明は、処理装置、処理方法及びプログラムに関する。
【背景技術】
【０００２】
需要家が保有する蓄電池の動作を制御する様々なサービスが検討されている。例えば、電気料金（電力単価）が相対的に安い時間帯に充電し、相対的に高い時間帯に放電するよう蓄電池の充放電を制御するサービス（以下、「エネルギーマネジメントサービス」）がある。当該サービスによれば、需要家は、電力会社に支払う電気料金を抑えることができる。
【０００３】
その他、電力系統の需給バランス調整のために、蓄電池の充放電を制御するサービス（以下、「アンシラリーサービス」）がある。すなわち、需要家の蓄電池を電力系統の需給バランス調整のための調整力や予備力等として利用する。当該サービスは、送配電事業者に向けたサービスである。なお、当該サービスのために蓄電池を提供した需要家に所定のインセンティブを支払うことで、需要家に向けたサービスと捉えることもできる。
【０００４】
その他、小売電気事業者からの依頼に基づき、蓄電池の充放電を制御するサービス（以下、「インバランス回避サービス」）が考えられる。小売電気事業者は、自システムの調整による３０分同時同量の達成が困難な場合、当該サービスを提供する事業者に、小売電気事業者が電力供給契約している需要家の蓄電池に対して、所定のタイミングで所定量の充電又は放電を依頼する。当該サービスを提供する事業者は、上記依頼に基づき需要家の蓄電池を制御し、所定のタイミングで所定量の充電又は放電を行わせる。当該サービスは、小売電気事業者に向けたサービスである。なお、当該サービスのために蓄電池を提供した需要家に所定のインセンティブを支払うことで、需要家に向けたサービスと捉えることもできる。
【０００５】
その他、自然エネルギー（例：太陽光）を利用した発電装置等を保有する発電事業者からの依頼に基づき、蓄電池の充放電を制御するサービス（以下、「余剰電力吸収サービス」）が考えられる。送配電事業者は、電力系統の需給運用に支障を及ぼす可能性がある場合、発電事業者に出力抑制（電力系統への逆潮流の抑制）を要請できる。出力抑制の要請を受けた発電事業者は、当該サービスを提供する事業者に、出力抑制を受けた時間帯に抑制が必要な分を充電する依頼を行う。そして、発電事業者は、出力抑制を受けた時間帯においても、出力抑制を行うことなく通常通りの出力を行う。当該サービスを提供する事業者は、上記依頼に基づき需要家の蓄電池を制御し、出力抑制を受けた時間帯に抑制が必要な分を充電させる。当該サービスは、発電事業者に向けたサービスである。なお、当該サービスのために蓄電池を提供した需要家に所定のインセンティブを支払うことで、需要家に向けたサービスと捉えることもできる。
【０００６】
関連する技術が、特許文献１及び２に開示されている。特許文献１には、蓄電池を保有する需要家に対して、蓄電池の充放電制御スケジュールを提供するサーバ装置が開示されている。蓄電池を制御する制御装置は、当該充放電制御スケジュールを基に、電気料金レートが最も高い時間帯と最も低い時間帯との料金差が一定以上である場合、その電気料金が高い時間帯の予想消費電力に相当する電力を他方の時間帯に充電し、電気料金が高い時間帯において放電するよう蓄電池を制御する。
【０００７】
特許文献２には、蓄電池の寿命を考慮したアンシラリーサービスを提供するアンシラリーサービス提供装置が開示されている。
【先行技術文献】
【特許文献】
【０００８】
【特許文献１】特開２０１４−２３６６２７号公報
【特許文献２】特開２０１２−６０８３３号公報
【発明の概要】
【発明が解決しようとする課題】
【０００９】
上述したような様々なサービスの実施に伴い、「電力系統から電力需要家設備に供給された電力の電力量［Ｗｈ］」や「電力需要家設備から電力系統に供給された電力の電力量［Ｗｈ］」のみならず、その他の各種電力（例：各種サービス用電力）の電力量を把握する技術が望まれている。本発明は、各種電力の電力量を算出する技術を提供することを課題とする。
【課題を解決するための手段】
【００１０】
本発明によれば、
複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得手段と、
前記取得手段が取得した情報に基づき、各種電力の電力量［Ｗｈ］を算出する算出手段と、
を有する処理装置が提供される。
【００１１】
また、本発明によれば、
複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得手段と、
前記取得手段が取得した情報に基づき、各種電力の電力量［Ｗｈ］を算出する算出手段と、
を有する処理装置が提供される。
【００１２】
また、本発明によれば、
コンピュータが、
複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得工程と、
前記取得手段が取得した情報に基づき、各種電力の電力量［Ｗｈ］を算出する算出工程と、
を実行する処理方法が提供される。
【００１３】
また、本発明によれば、
コンピュータを、
複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得手段、
前記取得手段が取得した情報に基づき、各種電力の電力量［Ｗｈ］を算出する算出手段、
として機能させるプログラムが提供される。
【００１４】
また、本発明によれば、
コンピュータが、
複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得工程と、
前記取得手段が取得した情報に基づき、各種電力の電力量［Ｗｈ］を算出する算出工程と、
を実行する処理方法が提供される。
【００１５】
また、本発明によれば、
コンピュータを、
複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得手段、
前記取得手段が取得した情報に基づき、各種電力の電力量［Ｗｈ］を算出する算出手段、
として機能させるプログラムが提供される。
【発明の効果】
【００１６】
本発明によれば、各種電力の電力量を把握する技術が実現される。
【図面の簡単な説明】
【００１７】
【図１】本実施形態の装置のハードウエア構成の一例を概念的に示す図である。
【図２】本実施形態の需要家設備の機能ブロック図の一例を示す図である。
【図３】本実施形態の処理装置の機能ブロック図の一例を示す図である。
【図４】本実施形態の需要家設備の機能ブロック図の一例を示す図である。
【図５】本実施形態の需要家設備の機能ブロック図の一例を示す図である。
【図６】本実施形態の需要家設備の機能ブロック図の一例を示す図である。
【図７】所定の電力量を算出する算出式が導き出される過程を説明するための図である。
【図８】所定の電力量を算出する算出式が導き出される過程を説明するための図である。
【図９】所定の電力量を算出する算出式が導き出される過程を説明するための図である。
【図１０】所定の電力量を算出する算出式が導き出される過程を説明するための図である。
【図１１】所定の電力量を算出する算出式が導き出される過程を説明するための図である。
【図１２】所定の電力量を算出する算出式が導き出される過程を説明するための図である。
【図１３】所定の電力量を算出する算出式の一例を示す図である。
【図１４】所定の電力量を算出する算出式が導き出される過程を説明するための図である。
【図１５】所定の電力量を算出する算出式が導き出される過程を説明するための図である。
【図１６】所定の電力量を算出する算出式が導き出される過程を説明するための図である。
【図１７】所定の電力量を算出する算出式が導き出される過程を説明するための図である。
【図１８】所定の電力量を算出する算出式の一例を示す図である。
【図１９】所定の電力量を算出する算出式が導き出される過程を説明するための図である。
【図２０】所定の電力量を算出する算出式が導き出される過程を説明するための図である。
【図２１】所定の電力量を算出する算出式が導き出される過程を説明するための図である。
【図２２】所定の電力量を算出する算出式の一例を示す図である。
【図２３】所定の電力量を算出する算出式が導き出される過程を説明するための図である。
【図２４】所定の電力量を算出する算出式が導き出される過程を説明するための図である。
【図２５】所定の電力量を算出する算出式の一例を示す図である。
【図２６】所定の電力量を算出する算出式の一例を示す図である。
【発明を実施するための形態】
【００１８】
まず、本実施形態の装置（処理装置１０等）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１９】
図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００２０】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２１】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２２】
＜第１の実施形態＞
まず、本実施形態の概要について説明する。本実施形態の需要家設備は、蓄電池を備える。蓄電池は、複数種類の充放電指令値［Ｗ］に基づき充放電を行う。複数種類の充放電指令値［Ｗ］は、エネルギーマネジメントサービスのＬＦＣ（lord frequency control）制御、エネルギーマネジメントサービスのＧＦ（governor free）制御、アンシラリーサービス、インバランス回避サービス、余剰電力吸収サービス等、各種目的に対応して充放電させるための指令値［Ｗ］である。
【００２３】
そして、本実施形態の処理装置は、このような蓄電池の充放電動作に基づき分類される各種電力の電力量［Ｗｈ］を算出する機能を有する。本実施形態の処理装置は、「電力系統から電力需要家設備に供給された電力量［Ｗｈ］の測定値（第１の測定値）」及び「電力需要家設備から電力系統に供給された電力量［Ｗｈ］の測定値（第２の測定値）」に加えて、「少なくとも１種類の充放電指令値［Ｗ］」を取得し、これらに基づき、各種電力の電力量［Ｗｈ］を算出する。
【００２４】
以下、本実施形態の構成を詳細に説明する。まず、図２を用いて、需要家設備の一例を説明する。図示するように、需要家設備は、制御装置、ＰＣＳ、蓄電池、負荷、測定装置（図示する「Ｍ１」）、及び、配電線を備える。図中、実線で配電線を示し、点線で通信線を示している。通信は、有線及び／又は無線で行うことができる。通信規格は特段制限されない。なお、需要家設備はその他の装置を備えてもよい。
【００２５】
測定装置Ｍ１は、電力需要家設備の上流側に設置され、「電力系統から電力需要家設備に供給された電力の電力量［Ｗｈ］」や「電力需要家設備から電力系統に供給された電力の電力量［Ｗｈ］」等を測定する。測定装置は、例えばスマートメータであり、所定時間（例：３０分）毎の積算値を測定する。なお、電力需要家設備の配電線における電力系統との接続点側を上流側と称し、電力系統から供給された電力が流れていく先を下流側と称する（以下同様）。
【００２６】
負荷は、電力で動作する装置であり、例えばテレビ、エアコン、冷蔵庫、照明等が例示されるが、これらに限定されない。
【００２７】
制御装置は、需要家設備の制御や、需要家設備に関する各種データの管理等を行う。ＰＣＳは、蓄電池の充放電を制御する。
【００２８】
制御装置及びＰＣＳの少なくとも一方は、各種目的に対応して蓄電池に充電又は放電させる電力を示す充放電指令値［Ｗ］を、所定周期で繰り返し又は不定周期で算出する。各種目的の例としては、エネルギーマネジメントサービスのＬＦＣ制御、エネルギーマネジメントサービスのＧＦ制御、アンシラリーサービス、インバランス回避サービス、余剰電力吸収サービス等が挙げられるが、これらに限定されない。
【００２９】
制御装置及びＰＣＳの両方が充放電指令値［Ｗ］を算出する場合、各々異なる目的に対応した充放電指令値［Ｗ］を算出する。例えば、ＰＣＳがエネルギーマネジメントサービスのＧＦ制御のための充放電指令値［Ｗ］を算出し、制御装置がエネルギーマネジメントサービスのＬＦＣ制御のための充放電指令値［Ｗ］やその他の目的の充放電指令値［Ｗ］を算出してもよい。
【００３０】
そして、制御装置又はＰＣＳは、同タイミングで充放電させるための複数種類の充放電指令値［Ｗ］に基づき、複数種類の充放電指令値［Ｗ］を統合した統合充放電指令値［Ｗ］を算出する。そして、ＰＣＳは、統合充放電指令値［Ｗ］で充電又は放電するよう蓄電池を制御する。
【００３１】
ここで、各種充放電指令値［Ｗ］を算出する処理及び統合充放電指令値［Ｗ］を算出する処理の一例を説明する。
【００３２】
＜ＬＦＣ制御（アンシラリーサービス）のための充放電指令値［Ｗ］＞
アンシラリーサービスは、主として送配電事業者に向けたサービスである。アンシラリーサービスでは、電力系統の需給バランス調整のために、蓄電池の充放電を制御する。すなわち、需要過多の場合には放電し、電力系統に電力を供給する動作を蓄電池に実行させる。一方、供給過多の場合には充電する動作を蓄電池に実行させることで、電力系統内の電力を消費させる。
【００３３】
各需要家設備の制御装置は、複数の需要家設備の蓄電池を統合制御する中央制御装置から受信した情報に基づき、ＬＦＣ制御のための充放電指令値［Ｗ］を算出する。
【００３４】
まず、中央制御装置は、制御対象の複数の蓄電池各々に対応して、ＬＦＣ制御のための電力入出力の上限ａｍａｘ＿ｎを、所定周期（例：１５分）で繰り返し決定する。そして、中央制御装置は、決定した上限ａｍａｘ＿ｎを、所定周期（例：１５分）で繰り返し各制御装置に送信する。
【００３５】
また、中央制御装置は、複数の蓄電池各々の上限ａｍａｘ＿ｎを足し合わせたＡｍａｘを所定周期（例：１５分）で繰り返し算出し、送配電事業者のシステムに所定周期（例：１５分）で繰り返し送信する。
【００３６】
また、中央制御装置は、送配電事業者のシステムからＬＦＣ信号を所定周期（例：数秒）で繰り返しまたは不定周期で受信する。ＬＦＣ信号には、複数の蓄電池で充電又は放電する電力の指令値［Ｗ］が含まれる。送配電事業者のシステムは、中央制御装置から受信したＡｍａｘ以下の範囲で上記指令値［Ｗ］を決定し、中央制御装置に送信する。なお、ＬＦＣ信号は、動作内容（充電及び放電）を識別可能になっている。例えば、充電の時は正の値、放電の時は負の値で示されてもよい。
【００３７】
ＬＦＣ信号の受信に応じて、中央制御装置は、ＬＦＣ信号で特定される指令値［Ｗ］をＡｍａｘで割った値Ｂを算出する。そして、中央制御装置は、算出した値Ｂを、複数の制御装置に一斉送信する。値Ｂの送信は、所定周期（例：数秒）で繰り返しまたは不定周期で行われる。一斉送信の実現手段としては、例えばマルチキャスト、ＦＭ通信等を用いたブロードキャスト、その他の手法を用いることもできる。
【００３８】
各制御装置は、所定周期（例：１５分）で繰り返し受信するａｍａｘ＿ｎと、所定周期（例：数秒）で繰り返しまたは不定周期で受信する値Ｂとに基づき、ＬＦＣ制御のための充放電指令値［Ｗ］を算出する。具体的には、制御装置は、ａｍａｘ＿ｎとＢとの積を、ＬＦＣ制御のための充放電指令値［Ｗ］として算出する。
【００３９】
当該例の変形例として、送配電事業者のシステムは、複数の蓄電池で充電又は放電する電力の指令値［Ｗ］を含むＬＦＣ信号に代えて、指令値［Ｗ］をＡｍａｘで割った値Ｂを含むＬＦＣ信号を制御装置に送信してもよい。そして、中央制御装置は、値Ｂを算出する処理を実行せず、受信した値Ｂを複数の制御装置に一斉送信してもよい。
【００４０】
他の変形例として、中央制御装置は、複数の制御装置に、各蓄電池に対応して決定したａｍａｘ＿ｎに加えて、Ａｍａｘを所定周期（例：１５分）で繰り返し送信してもよい。そして、送配電事業者のシステムから、複数の蓄電池で充電又は放電する電力の指令値［Ｗ］を含むＬＦＣ信号を受信すると、中央制御装置は、指令値［Ｗ］をＡｍａｘで割った値Ｂに代えて、当該指令値［Ｗ］を複数の制御装置に一斉送信してもよい。そして、各制御装置が、指令値［Ｗ］をＡｍａｘで割った値Ｂにａｍａｘ＿ｎを掛けて、ＬＦＣ制御のための充放電指令値［Ｗ］を算出してもよい。
【００４１】
他の変形例として、中央制御装置は、各蓄電池に対応して決定したａｍａｘ＿ｎを、Ａｍａｘで割った値ｄｎを算出してもよい。そして、中央制御装置は、ａｍａｘ＿ｎに代えて、ｄｎを、複数の制御装置に所定周期（例：１５分）で繰り返し送信してもよい。そして、送配電事業者のシステムから、複数の蓄電池で充電又は放電する電力の指令値［Ｗ］を含むＬＦＣ信号を受信すると、中央制御装置は、当該指令値［Ｗ］を複数の制御装置に一斉送信してもよい。そして、各制御装置が、指令値［Ｗ］にｄｎを掛けて、ＬＦＣ制御のための充放電指令値［Ｗ］を算出してもよい。
【００４２】
なお、ここでは、制御装置がＬＦＣ制御のための充放電指令値［Ｗ］を算出する例を説明したが、ＰＣＳが各種情報を制御装置から受信し、ＬＦＣ制御のための充放電指令値［Ｗ］を算出してもよい。
【００４３】
＜ＧＦ制御（アンシラリーサービス）のための充放電指令値［Ｗ］＞
まず、中央制御装置は、制御対象の複数の蓄電池各々に対応して、ＧＦ制御のための電力入出力の上限ｃｍａｘ＿ｎを、所定周期（例：１５分）で繰り返し決定する。その後、中央制御装置は、蓄電池ごとに、ＧＦ制御の内容を決定する。具体的には、中央制御装置は、各蓄電池で充電又は放電する電力［Ｗ］の充放電指令値［Ｗ］を、系統周波数の基準値からの乖離の程度に応じて定めたＧＦ制御情報（例：関数、対応テーブル等）を生成する。ＧＦ制御情報においては、電力入出力の最大値が、上限ｃｍａｘ＿ｎ以下となるように定められる。中央制御装置は、複数の制御装置各々に、各々に対応したＧＦ制御情報を送信する。
【００４４】
各制御装置は、中央制御装置からＧＦ制御情報を受信すると、当該ＧＦ制御情報をＰＣＳに送信する。ＰＣＳは、内部センサーや自装置の近くに設置された測定サンサーから、系統周波数の測定値を所定周期（例：数十ミリ秒）で繰り返し受信する。そして、ＰＣＳは、当該測定値と、予め与えられていた基準値とに基づき、系統周波数の基準値からの乖離を繰り返し算出する。また、制御装置は、算出した乖離と、ＧＦ制御情報とに基づき、ＧＦ制御のための充放電指令値［Ｗ］を算出する。
【００４５】
なお、ここでは、ＰＣＳがＧＦ制御のための充放電指令値［Ｗ］を算出する例を説明したが、制御装置がＧＦ制御のための充放電指令値［Ｗ］を算出してもよい。
【００４６】
＜エネルギーマネジメントサービスのための充放電指令値［Ｗ］＞
エネルギーマネジメントサービスは、需要家に向けたサービスである。当該サービスでは、電力単価が相対的に安い時間帯に電力を充電し、電力単価が相対的に高い時間帯に電力を放電する充放電動作を蓄電池に実行させる。
【００４７】
制御装置は、電力単価が相対的に安い時間帯に電力を充電し、電力単価が相対的に高い時間帯に電力を放電する充放電スケジュールを生成する。例えば、制御装置は、電力単価が所定値より高い時間帯を放電させる時間帯とし、当該所定値以下の時間帯を充電させる時間帯としてもよい。所定値は、例えば、時間帯ごとに設定された電力単価（例：Ｐ１時からＰ２時「Ｑ１円／ｋＷｈ」、Ｐ２時からＰ３時「Ｑ２円／ｋＷｈ」、・・・）の平均値（Ｑ１、Ｑ２、・・・の平均値）であってもよいし、予め制御装置に与えられた値であってもよい。
【００４８】
そして、制御装置は、所定の上限（蓄電池毎に予め定められたエネルギーマネジメントサービスのための電力入出力の上限）以下を満たす範囲で、充電させる時間帯に充電させ、かつ、放電させる時間帯に放電させる充放電スケジュールを生成する。なお、これら充放電では、１日をサイクルとして、エネルギーマネジメントサービスで充電可能な電力の上限（例：ＳＯＣ９５％まで充電可能）を超えない範囲で、積算充電量ができるだけ大きくなるのが好ましい。また、エネルギーマネジメントサービスで放電可能な電力の上限（例：ＳＯＣ５％まで放電可能）を超えない範囲で、積算放電量ができるだけ大きくなるのが好ましい。
【００４９】
なお、エネルギーマネジメントサービスを提供する事業者のシステムが、上述のような手法で充放電スケジュールを生成してもよい。そして、制御装置は、当該システムから充放電スケジュールを受信してもよい。
【００５０】
制御装置は、充放電スケジュールに基づき、各タイミングにおけるエネルギーマネジメントサービスのための充放電指令値［Ｗ］を特定する。充電させる時間帯においては、例えば、充放電スケジュールで定められた各タイミングの充電電力［Ｗ］を、各タイミングにおけるエネルギーマネジメントサービスのための充電指令値［Ｗ］として特定する。一方、放電させる時間帯においては、例えば、「充放電スケジュールで定められた各タイミングの放電電力の上限値［Ｗ］」以下の範囲で、「所定の測定センサーで測定されたその時点の負荷の総消費電力［Ｗ］」を、各タイミングにおけるエネルギーマネジメントサービスのための放電指令値［Ｗ］として特定する（これを、負荷追従放電という）。
【００５１】
なお、ＰＣＳが、当該充放電スケジュールに基づき、各タイミングにおけるエネルギーマネジメントサービスのための充放電指令値［Ｗ］を特定してもよい。
【００５２】
＜インバランス回避サービスのための充放電指令値［Ｗ］＞
インバランス回避サービスは、小売電気事業者に向けたサービスである。小売電気事業者は、自システムの調整による３０分同時同量の達成が困難な場合、当該サービスを提供する事業者に、小売電気事業者が電力供給契約している需要家の有する蓄電池に対して、所定のタイミングで所定量の充電又は放電を依頼する。当該依頼に基づき、各需要家の蓄電池の充放電が制御される。
【００５３】
中央制御装置は、複数の制御装置から所定周期で繰り返し受信する各蓄電池の状態（例：ＳＯＣ）を示す情報や、各需要家の将来の電力需要予測等に基づき、インバランス回避サービスで充電させることができる電力量や放電させることができる放電量等の最新の値、また、将来の各時間帯における推定値を蓄電池ごとに把握する。そして、中央制御装置は、それらを足し合わせることで、複数の蓄電池全体で充電させることができる電力量や放電させることができる放電量等の最新の値、また、将来の各時間帯における推定値を算出する。
【００５４】
中央制御装置は、算出した上記結果を、あらかじめ小売電気事業者のシステムに送信する。小売電気事業者のシステムは、当該結果で示される上限を超えない範囲で、インバランス回避のための依頼（所定のタイミングでの所定量の放電又は充電）を行う。
【００５５】
中央制御装置は、上記依頼に基づき、充電又は放電を行う電力量［Ｗｈ］、及び、時間帯を特定する。そして、中央制御装置は、依頼の内容、及び、把握している各蓄電池で充電及び／又は放電できる量等に基づき、充電又は放電を行わせる蓄電池を選択するとともに、各蓄電池に充電又は放電させる電力量［Ｗｈ］を決定する。そして、中央制御装置は、決定された電力量を、上記時間帯の中で充電又は放電させる充放電スケジュールを生成し、各充放電スケジュールを各制御装置に送信する。なお、各蓄電池の充放電スケジュールは、電力入出力が所定の上限（蓄電池毎に予め定められたインバランス回避サービスのための電力入出力の上限）以下を満たすように生成される。
【００５６】
各制御装置は、インバランス回避サービスのための充放電スケジュールを受信する。そして、各制御装置は、当該充放電スケジュールに基づき、各タイミングにおけるインバランス回避サービスのための充放電指令値［Ｗ］を特定する。なお、ＰＣＳが、当該充放電スケジュールに基づき、各タイミングにおけるインバランス回避サービスのための充放電指令値［Ｗ］を特定してもよい。
【００５７】
＜余剰電力吸収サービスのための充放電指令値＞
余剰電力吸収サービスは、自然エネルギー（例：太陽光）を利用した発電装置等を保有する発電事業者に向けたサービスである。発電事業者は、送配電事業者から出力抑制の要請（電力系統への逆潮流の抑制）を受けると、当該サービスを提供する事業者に、当該出力抑制を回避するための充電を依頼する。当該依頼に基づき、各需要家の蓄電池の充放電が制御される。
【００５８】
中央制御装置は、発電事業者に送られた出力抑制の要請を受信する。出力抑制の要請では、抑制する時間帯（例：翌日１日、翌日の１３時から１６時等）が定められる。抑制する量は、例えば、出力「０」である場合や、出力の上限（定格出力の○○％）を単位時間帯（例：３０分）毎に定められる場合などが考えらえる。
【００５９】
また、中央制御装置は、各発電事業者の発電予測（例：翌日分の発電予測）を取得する。例えば、中央制御装置は、各発電事業者のシステムから受信してもよいし、自装置で生成してもよい。
【００６０】
そして、中央制御装置は、出力抑制の要請の内容と、発電予測とに基づき、各タイミングで抑制される電力、すなわち各タイミングで充電すべき電力を算出する。その後、中央制御装置は、各タイミングで充電すべき電力を複数の蓄電池に割り振ることで、複数の蓄電池各々の充電スケジュールを生成する。そして、中央制御装置は、各充電スケジュールを各制御装置に送信する。なお、各蓄電池の充電スケジュールは、電力入出力が所定の上限（蓄電池毎に予め定められた余剰電力吸収サービスのための電力入出力の上限）以下を満たすように生成される。
【００６１】
各制御装置は、余剰電力吸収サービスのための充電スケジュールを受信する。そして、各制御装置は、当該充電スケジュールに基づき、各タイミングにおける余剰電力吸収サービスのための充放電指令値［Ｗ］を特定する。なお、ＰＣＳが、当該充電スケジュールに基づき、各タイミングにおける余剰電力吸収サービスのための充放電指令値［Ｗ］を特定してもよい。
【００６２】
＜統合充放電指令値［Ｗ］＞
制御装置及びＰＣＳの少なくとも一方により、上述した複数種類の充放電指令値［Ｗ］（ＬＦＣ制御のための充放電指令値［Ｗ］、ＧＦ制御のための充放電指令値［Ｗ］、エネルギーマネジメントサービスのための充放電指令値［Ｗ］、インバランス回避サービスのための充放電指令値［Ｗ］、余剰電力吸収サービスのための充放電指令値［Ｗ］等）の中の２つ以上が算出される。
【００６３】
制御装置及びＰＣＳの少なくとも一方は、算出された複数種類の充放電指令値［Ｗ］に基づき、統合充放電指令値［Ｗ］を算出する。具体的には、同じタイミングで充電又は放電させる複数種類の充放電指令値［Ｗ］に基づき、統合充放電指令値［Ｗ］が算出される。
【００６４】
一例として、制御装置又はＰＣＳは、同じタイミングで充電又は放電させる複数種類の充放電指令値［Ｗ］を足し合わせることで、統合充放電指令値［Ｗ］を算出してもよい。例えば、放電指令値［Ｗ］及び充電指令値［Ｗ］の一方は正の値で示され、他方は負の値で示された状態で、複数種類の充放電指令値［Ｗ］が足し合わされる。
【００６５】
その他、制御装置又はＰＣＳは、予め複数の充放電指令値［Ｗ］に対して定められた優先順位に基づき、統合充放電指令値［Ｗ］を算出してもよい。すなわち、同じタイミングで充電又は放電させる複数種類の充放電指令値［Ｗ］が存在する場合、制御装置又はＰＣＳは、その中で最も優先順位が高い充放電指令値［Ｗ］を統合充放電指令値［Ｗ］としてもよい。
【００６６】
その他、制御装置又はＰＣＳは、予め複数の上記サービスに対して定められた優先順位に基づき、統合充放電指令値［Ｗ］を算出してもよい。すなわち、同じタイミングで充電又は放電させる複数種類の充放電指令値［Ｗ］が存在する場合、制御装置又はＰＣＳは、その中で最も優先順位が高いサービスに関する充放電指令値［Ｗ］に基づき、統合充放電指令値［Ｗ］を算出してもよい。なお、アンシラリーサービスのように、１つのサービスに対応して複数種類の充放電指令値［Ｗ］（ＬＦＣ制御のための充放電指令値［Ｗ］及びＧＦ制御のための充放電指令値［Ｗ］）が存在するものもあれば、エネルギーマネジメントサービス、インバランス回避サービス及び余剰電力吸収サービスのように、１つのサービスに対応して１種類の充放電指令値［Ｗ］が存在するものもある。このため、サービスに対して優先順位を付す当該例は、充放電指令値［Ｗ］に優先順位を付す上記例と作用効果が異なる。
【００６７】
なお、最も優先順位が高いサービスがアンシラリーサービスのように複数種類の充放電指令値［Ｗ］を有するものである場合、制御装置又はＰＣＳはそれらを足し合わせた値を統合充放電指令値［Ｗ］とすることができる。
【００６８】
一方、最も優先順位が高いサービスが１種類の充放電指令値［Ｗ］を有するものである場合、制御装置又はＰＣＳはそのサービスに対応する１種類の充放電指令値［Ｗ］を統合充放電指令値［Ｗ］とすることができる。
【００６９】
例えば、統合充放電指令値［Ｗ］を算出する制御装置又はＰＣＳは、統合充放電指令値［Ｗ］の算出に用いた充放電指令値［Ｗ］の中の少なくとも１種類を処理装置１０に送信してもよい。当該充放電指令値［Ｗ］が、各種電力の電力量［Ｗｈ］を算出するために用いられる。なお、統合充放電指令値［Ｗ］の算出に用いられなかった充放電指令値［Ｗ］（例：優先順位が低いため利用されなかった充放電指令値［Ｗ］）は、処理装置１０に向けて送信されない。すなわち、各種電力の電力量［Ｗｈ］を算出するために用いられない。
【００７０】
なお、充放電指令値［Ｗ］は、例えば、充電及び放電の一方が正の値で表され、他方が負の値で表されるなどにより、充放電の指示内容（充電又は放電）を識別可能となっている。
【００７１】
また、各種充放電指令値［Ｗ］に対応して、値の上限が予め定められる。複数種類の充放電指令値［Ｗ］を足し合わせた統合充放電指令値［Ｗ］を算出する構成の場合、足し合わせる複数種類の充放電指令値［Ｗ］各々の上限は、それらの合計がＰＣＳの定格出力以下となるように定められる。一方、予め定められた優先順位等に基づき、いずれか１つの充放電指令値［Ｗ］が統合充放電指令値［Ｗ］として決定される構成の場合、例えば、その充放電指令値［Ｗ］の上限をＰＣＳの定格出力としてもよい。
【００７２】
次に、各種電力の電力量［Ｗｈ］を算出する機能を有する本実施形態の処理装置の構成を説明する。処理装置は、例えば、図２に示す制御装置内に備えられてもよいし、又は、複数の制御装置から情報を収集する上位装置内に備えられてもよい。
【００７３】
図３に、処理装置１０の機能ブロック図の一例を示す。図示するように、処理装置１０は、取得部１１と、算出部１２とを有する。
【００７４】
取得部１１は、所定期間内に電力系統から電力需要家設備に供給された電力量［Ｗｈ］を測定した第１の測定値と、上記所定期間内に電力需要家設備から電力系統に供給された電力量［Ｗｈ］を測定した第２の測定値と、少なくとも１種類の充放電指令値［Ｗ］と、を取得する。
【００７５】
取得部１１は、図２の測定装置Ｍ１が測定した第１の測定値及び第２の測定値を取得することができる。
【００７６】
また、取得部１１は、図２の制御装置及びＰＣＳの少なくとも一方により算出された各種充放電指令値［Ｗ］の中の少なくとも１種類を取得することができる。なお、取得部１１は、取得対象の各種充放電指令値［Ｗ］に対応して、上記所定期間内に充放電させるために算出された複数の充放電指令値［Ｗ］を取得する。複数の充放電指令値［Ｗ］各々は、当該充放電指令値［Ｗ］に基づきＰＣＳ及び蓄電池が動作するタイミング（例：日時、時刻）を特定可能になっている。例えば、各充放電指令値［Ｗ］に上記タイミングを示す情報が対応付けられていてもよい。
【００７７】
算出部１２は、取得部１１が取得した情報に基づき、各種電力の電力量［Ｗｈ］を算出する。本実施形態では、電力量［Ｗｈ］を算出する電力の種類や算出方法は特段制限されず、あらゆる手法を採用できる（以下の実施例で具体例を説明する）。
【００７８】
なお、充放電指令値［Ｗ］を用いて各種電力の電力量［Ｗｈ］を算出する本実施形態の場合、統合充放電指令値［Ｗ］と、当該統合充放電指令値［Ｗ］に基づき動作（充電又は放電）した際のＰＣＳからの出力値［Ｗ］とが一致、又は、その差が所定レベルより小さくなる構成を備えるのが好ましい。本実施形態において、当該構成の詳細は設計的事項である。
【００７９】
次に、本実施形態の作用効果を説明する。本実施形態の処理装置１０は、「電力系統から電力需要家設備に供給された電力量［Ｗｈ］の測定値（第１の測定値）」及び「電力需要家設備から電力系統に供給された電力量［Ｗｈ］の測定値（第２の測定値）」に加えて、「少なくとも１種類の充放電指令値［Ｗ］」を取得し、これらに基づき、各種電力の電力量［Ｗｈ］を算出することができる。
【００８０】
これらの情報を用いた所定の演算により、各種電力の電力量［Ｗｈ］を算出することが可能となる。例えば、電力需要家に対する課金対象となる電力量［Ｗｈ］や、電力需要家に対してインセンティブを支払う対象となる電力量［Ｗｈ］や、各種サービスに対応した充電電力量［Ｗｈ］や、各種サービスに対応した放電電力量［Ｗｈ］や、これらの２つ以上を足し合わせた電力量［Ｗｈ］や、これらの何れかから他のいずれかを引いた電力量［Ｗｈ］等、任意の種類の電力の電力量［Ｗｈ］を算出することができる。
【００８１】
＜第２の実施形態＞
本実施形態の処理装置１０は、第１の実施形態同様、「電力系統から電力需要家設備に供給された電力量［Ｗｈ］の測定値（第１の測定値）」及び「電力需要家設備から電力系統に供給された電力量［Ｗｈ］の測定値（第２の測定値）」に加えて、「少なくとも１種類の充放電指令値［Ｗ］」を取得し、これらに基づき、各種電力の電力量［Ｗｈ］を算出する。
【００８２】
なお、本実施形態の処理装置１０は、「電力系統から電力需要家設備に供給された電力量［Ｗｈ］の測定値（第１の測定値）」及び「電力需要家設備から電力系統に供給された電力量［Ｗｈ］の測定値（第２の測定値）」を取得しなくてもよい。そして、「少なくとも１種類の充放電指令値［Ｗ］」に基づき、各種電力の電力量［Ｗｈ］を算出してもよい。
【００８３】
ところで、需要家設備内の任意の装置（例：ＰＣＳ、蓄電池）の不具合等により、ＰＣＳからの電力の入出力が統合充放電指令値［Ｗ］通りにならない状況となり得る。例えば、統合充放電指令値［Ｗ］より少ない電力［Ｗ］が入出力されたり、統合充放電指令値［Ｗ］より多い電力［Ｗ］が入出力されたりする場合があり得る。
【００８４】
このような状況下で、各種電力の電力量［Ｗｈ］を、各種充放電指令値［Ｗ］に基づき算出するのは好ましくない。本実施形態の処理装置１０は、このような不都合を解消する構成を備える。
【００８５】
本実施形態では、配電線上の任意の位置で、充放電実測値［Ｗ］（ＰＣＳから出力又はＰＣＳに入力された電力［Ｗ］の実測値）が測定される。そして、統合充放電指令値［Ｗ］と充放電実測値［Ｗ］とに基づき、統合充放電指令値［Ｗ］から充放電実測値［Ｗ］を算出するための補正係数が算出される。
【００８６】
上記処理の変形例として、配電線上の任意の位置で、充放電実測値［Ｗｈ］（ＰＣＳから出力された電力量［Ｗｈ］の実測値及び／又はＰＣＳに入力された電力量［Ｗｈ］の実測値）が測定されてもよい。そして、統合充放電指令値［Ｗ］の中の放電指示である統合放電指令値［Ｗ］の積算値［Ｗｈ］と、充放電実測値［Ｗｈ］（ＰＣＳから出力された電力量［Ｗｈ］の実測値）とに基づき、統合放電指令値［Ｗ］の積算値［Ｗｈ］から充放電実測値［Ｗｈ］（ＰＣＳから出力された電力量［Ｗｈ］の実測値）を算出するための補正係数が算出されてもよい。
【００８７】
その他、統合充放電指令値［Ｗ］の中の充電指示である統合充電指令値［Ｗ］の積算値［Ｗｈ］と、充放電実測値［Ｗｈ］（ＰＣＳに入力された電力量［Ｗｈ］の実測値）とに基づき、統合充電指令値［Ｗ］の積算値［Ｗｈ］から充放電実測値［Ｗｈ］（ＰＣＳに入力された電力量［Ｗｈ］の実測値）を算出するための補正係数が算出されてもよい。
【００８８】
処理装置１０は、当該補正係数を取得する。例えば、処理装置１０が当該補正係数を算出してもよい。そして、処理装置１０は、各種電力の電力量［Ｗｈ］を算出する処理において、「少なくとも１種類の充放電指令値［Ｗ］」に代えて、「補正係数で補正後の少なくとも１種類の充放電指令値［Ｗ］」を用いる。
【００８９】
図４に、上記補正係数を算出可能な構成となった需要家設備の一例を示す。図示するように、当該例の需要家設備は、測定装置Ｍ２を有する点で、図２に示す需要家設備と異なる。需要家設備のその他の構成は、図２に示す需要家設備と同様である。
【００９０】
測定装置Ｍ２は、ＰＣＳ付近の配電線上に設置され、ＰＣＳから出力された電力（配電線上を一方向に流れた電力）やＰＣＳに入力された電力（配電線上を逆方向に流れた電力）の実測値［Ｗ］、及び／又は、これらの積算値［Ｗｈ］を測定する。測定装置Ｍ２は、例えばスマートメータや測定センサー等である。
【００９１】
本実施形態の処理装置１０の機能ブロック図の一例は、第１の実施形態同様、図３で示される。
【００９２】
取得部１１は、測定装置Ｍ２により測定された測定値（充放電実測値）、すなわち、ＰＣＳから出力された電力やＰＣＳに入力された電力の実測値［Ｗ］、及び／又は、これらの積算値［Ｗｈ］を取得する。また、取得部１１は、第１の実施形態同様、少なくとも１種類の充放電指令値［Ｗ］を取得する。取得部１１は、さらに、測定装置Ｍ１により測定された測定値を取得することができる。なお、取得部１１は、測定装置Ｍ１により測定された測定値を取得しなくてもよい。
【００９３】
算出部１２は、統合充放電指令値［Ｗ］から、充放電実測値［Ｗ］を算出する補正係数を算出することができる。例えば、算出部１２は、充放電実測値［Ｗ］を統合充放電指令値［Ｗ］で割った値を、補正係数として算出してもよい。
【００９４】
その他、算出部１２は、充放電実測値［Ｗｈ］（ＰＣＳから出力された電力量［Ｗｈ］の実測値）を、統合充放電指令値［Ｗ］の中の放電指示である統合放電指令値［Ｗ］の積算値［Ｗｈ］で割った値を、補正係数として算出してもよい。その他、算出部１２は、充放電実測値［Ｗｈ］（ＰＣＳに入力された電力量［Ｗｈ］の実測値）を、統合充放電指令値［Ｗ］の中の充電指示である統合充電指令値［Ｗ］の積算値［Ｗｈ］で割った値を、補正係数として算出してもよい。
【００９５】
そして、算出部１２は、「少なくとも１種類の充放電指令値［Ｗ］」に代えて、「補正係数で補正後の少なくとも１種類の充放電指令値［Ｗ］」を用いて、各種電力の電力量［Ｗｈ］を算出する。例えば、算出部１２は、充放電指令値［Ｗ］と補正係数との積を、補正後の充放電指令値［Ｗ］として算出する。補正後の充放電指令値［Ｗ］は、充放電指令値［Ｗ］に基づきＰＣＳから実際に出力された電力［Ｗ］又はＰＣＳに入力された電力［Ｗ］をよく表す値となっている。
【００９６】
なお、算出部１２は、所定時間帯毎に補正係数を算出し、各時間帯に対応する補正係数で補正後の充放電指令値［Ｗ］に基づき、各種電力の電力量［Ｗｈ］を算出してもよい。
【００９７】
「統合充放電指令値［Ｗ］」と「充放電実測値［Ｗ］」とのズレが、時間経過に応じて変化する場合、所定時間おきに補正係数を算出し、所定時間毎の補正係数で補正後の充放電指令値［Ｗ］に基づき各種電力の電力量［Ｗｈ］を算出することで、各種電力の電力量［Ｗｈ］をより精度よく算出することができる。また、各種時間帯（例：朝の時間帯、昼の時間帯、夜の時間帯）の属性（例：温度、湿度等）に応じて上記ズレが変化する場合、各種時間帯に応じて補正係数を算出し、各種時間帯に対応した補正係数で補正後の充放電指令値［Ｗ］に基づき各種電力の電力量［Ｗｈ］を算出することで、各種電力の電力量［Ｗｈ］をより精度よく算出することができる。
【００９８】
取得部１１が第１の測定値及び第２の測定値を取得しない場合、算出部１２は、補正係数で補正後の充放電指令値［Ｗ］に基づき各種電力の電力量［Ｗｈ］を算出することができる。例えば、各種サービスに対応した充電電力量［Ｗｈ］や、各種サービスに対応した放電電力量［Ｗｈ］や、これらの２つ以上を足し合わせた電力量［Ｗｈ］や、これらの何れかから他のいずれかを引いた電力量［Ｗｈ］等、任意の種類の電力の電力量［Ｗｈ］を算出することができる。
【００９９】
以上説明した本実施形態によれば、第１の実施形態と同様な作用効果を実現できる。また、本実施形態によれば、需要家設備内の任意の装置（例：ＰＣＳ、蓄電池）の不具合等により、ＰＣＳからの電力の入出力が統合充放電指令値［Ｗ］通りにならない状況となっている場合であっても、補正係数を用いることで、精度よく各種電力の電力量［Ｗｈ］を算出することができる。
【０１００】
＜第３の実施形態＞
本実施形態の電力需要家設備は、発電装置を有する。発電装置は、例えば、自然エネルギー（例：太陽光、風力、地熱等）を用いて発電する装置である。
【０１０１】
図５に、本実施形態の需要家設備の一例を示す。図示するように、当該例の需要家設備は、発電装置として太陽光発電装置（ＰＶ）を備える。また、当該例の需要家設備は、測定装置Ｍ３を有する。需要家設備の他の構成は、第１の実施形態と同様である。
【０１０２】
ＰＶは、図示するように、測定装置Ｍ１よりも下流側、かつ、測定装置Ｍ３、ＰＣＳ、蓄電池及び負荷よりも上流側に接続される。
【０１０３】
測定装置Ｍ３は、ＰＶよりも下流側、かつ、ＰＣＳ、蓄電池及び負荷よりも上流側に接続され、接続点を一方向に流れる電力や逆方向に流れる電力の実測値［Ｗ］、及び／又は、これらの積算値［Ｗｈ］を測定する。測定装置Ｍ３は、例えばスマートメータや測定センサー等である。
【０１０４】
本実施形態の処理装置１０は、測定装置Ｍ１の測定データに代えて、測定装置Ｍ３の測定データを取得することができる。そして、処理装置１０は、「測定装置Ｍ３の測定データ」と、「少なくとも１種類の充放電指令値［Ｗ］」とに基づき、各種電力の電力量［Ｗｈ］を算出することができる。
【０１０５】
なお、処理装置１０は、さらに、測定装置Ｍ１の測定データを取得してもよい。そして、「測定装置Ｍ１の測定データ」と、「測定装置Ｍ３の測定データ」と、「少なくとも１種類の充放電指令値［Ｗ］」とに基づき、各種電力の電力量［Ｗｈ］を算出してもよい。
【０１０６】
本実施形態の処理装置１０の機能ブロック図の一例は、第１及び第２の実施形態同様、図３で示される。
【０１０７】
取得部１１は、測定装置Ｍ３により測定された測定データを取得する。また、取得部１１は、少なくとも１種類の充放電指令値［Ｗ］を取得する。なお、取得部１１は、さらに、測定装置Ｍ１により測定された測定データを取得してもよい。
【０１０８】
算出部１２は、取得部１１が取得した情報に基づき、各種電力の電力量［Ｗｈ］を算出する。例えば、算出部１２は、測定装置Ｍ３により測定された測定データと、少なくとも１種類の充放電指令値［Ｗ］とに基づき、各種電力の電力量［Ｗｈ］を算出してもよい。
【０１０９】
一例として、算出部１２は、ＰＶを有さない図２の構成において、測定装置Ｍ１により測定された測定データと、少なくとも１種類の充放電指令値［Ｗ］とに基づき、各種電力の電力量［Ｗｈ］を算出する算出方法において、測定装置Ｍ１により測定された測定データを測定装置Ｍ３により測定された測定データに置き換えた算出方法で各種電力の電力量［Ｗｈ］を算出してもよい。
【０１１０】
その他、算出部１２は、測定装置Ｍ１により測定された測定データと、測定装置Ｍ３により測定された測定データとに基づき、各種電力の電力量［Ｗｈ］を算出してもよい。例えば、一方から他方を引くことで、各種電力の電力量［Ｗｈ］を算出してもよい。
【０１１１】
以上説明した本実施形態によれば、第１の実施形態と同様な作用効果を実現できる。また、本実施形態によれば、次のような作用効果が得られる。
【０１１２】
本実施形態の需要家設備の構成（図５参照）と、第１の実施形態で説明した需要家設備の構成（図２参照）とを比較すると、ＰＶが存在するか否かにおいて異なる。ＰＶの存在は、測定装置Ｍ１の測定結果に影響する。すなわち、図２及び図５に示すＰＣＳ、蓄電池及び負荷が同じ動作をした場合であっても、図２及び図５の測定装置Ｍ１各々で測定される測定データは、ＰＶの動作によって異なったものとなる。
【０１１３】
このため、測定装置Ｍ１の測定データと少なくとも１種類の充放電指令値［Ｗ］とに基づき各種電力の電力量［Ｗｈ］を算出する方法を、ＰＶを有さない需要家設備及びＰＶを有する需要家設備に共通に適用することはできない。
【０１１４】
本実施形態は、簡易な手段で、当該不都合を解消する構成を備える。具体的には、ＰＶを有する需要家設備は、測定装置Ｍ３をさらに備える。そして、処理装置１０は、測定装置Ｍ３から測定データを取得し、この測定データに基づき各種電力の電力量［Ｗｈ］を算出する。
【０１１５】
図２及び図５を比較すると明らかであるが、図２及び図５に示すＰＣＳ、蓄電池及び負荷が同じ動作をした場合、図２の測定装置Ｍ１と図５の測定装置Ｍ３各々で測定される測定データは、図５のＰＶの動作内容に関わらず同じものとなる。
【０１１６】
そこで、ＰＶを有さない図２に示す構成においては、測定装置Ｍ１の測定データと少なくとも１種類の充放電指令値［Ｗ］とに基づき各種電力の電力量［Ｗｈ］を算出し、ＰＶを有する図５に示す構成においては、測定装置Ｍ３の測定データと少なくとも１種類の充放電指令値［Ｗ］とに基づき各種電力の電力量［Ｗｈ］を算出するように構成することで、ＰＶの有無に関わらず同様の算出方法で各種電力量［Ｗｈ］を算出することが可能となる。
【０１１７】
また、測定装置Ｍ１及び測定装置Ｍ３の両方を有する図５に示す構成の場合、測定装置Ｍ１の測定データ及び測定装置Ｍ３の測定データに基づき、多彩な電力の電力量［Ｗｈ］を算出することができる。また、図５に示す構成の場合、測定装置Ｍ１の測定データ、測定装置Ｍ３の測定データ及び少なくとも１種類の充放電指令値［Ｗ］に基づき、さらに多彩な電力の電力量［Ｗｈ］を算出することができる。
【０１１８】
図６に、本実施形態の需要家設備の変形例を示す。変形例の需要家設備は、さらに、測定装置Ｍ２を備える。測定装置Ｍ２の構成及びこれにより得られる作用効果は、第２の実施形態で説明した通りである。
【０１１９】
＜第１の実施例＞
本実施例では、第１の充放電指令値［Ｗ］は、電力需要家のために充放電させる指令値である。第１の充放電指令値［Ｗ］は、エネルギーマネジメントサービスのための充放電指令値［Ｗ］である。
【０１２０】
第２の充放電指令値［Ｗ］は、電力系統の需給バランス調整のために充放電させる指令値である。すなわち、第２の充放電指令値［Ｗ］は、第１の実施形態で説明したＬＦＣ制御（アンシラリーサービス）のための充放電指令値［Ｗ］、ＧＦ制御（アンシラリーサービス）のための充放電指令値［Ｗ］、又は、これら両方である。
【０１２１】
第１の実施形態の構成（図２、図３等参照）の場合、処理装置１０の算出部１２は、以下の算出式により、電力小売り事業者が電力需要家に課金する課金対象の電力量［Ｗｈ］を算出する。
【０１２２】
（課金対象の電力量［Ｗｈ］）＝（所定の期間内における第１の測定値［Ｗｈ］）−（所定の期間内における第２の測定値［Ｗｈ］）＋（所定の期間内における第２の充放電指令値［Ｗ］の中の放電指令値［Ｗ］の積算値［Ｗｈ］）−（所定の期間内における第２の充放電指令値［Ｗ］の中の充電指令値［Ｗ］の積算値［Ｗｈ］）
【０１２３】
第２の実施形態の構成（図３、図４等参照）の場合、処理装置１０の算出部１２は、以下の算出式により、電力小売り事業者が電力需要家に課金する課金対象の電力量［Ｗｈ］を算出する。
【０１２４】
（課金対象の電力量［Ｗｈ］）＝（所定の期間内における第１の測定値［Ｗｈ］）−（所定の期間内における第２の測定値［Ｗｈ］）＋（所定の期間内における第２の充放電指令値［Ｗ］の中の放電指令値［Ｗ］を補正係数で補正した補正後の放電指令値［Ｗ］の積算値［Ｗｈ］）−（所定の期間内における第２の充電指令値［Ｗ］の中の充電指令値［Ｗ］を補正係数で補正した補正後の充電指令値［Ｗ］の積算値［Ｗｈ］）
【０１２５】
第３の実施形態の構成（図３、図５、図６等参照）の場合、処理装置１０の算出部１２は、上記２つの算出式における（所定の期間内における第１の測定値［Ｗｈ］）、及び、（所定の期間内における第２の測定値［Ｗｈ］）を、図５及び図６に示す測定装置Ｍ３により測定された測定データに置き代えて、（課金対象の電力量［Ｗｈ］）を算出する。
【０１２６】
ここで、上記算出式が導き出される過程を説明する。
【０１２７】
まず、第１の充放電指令値（ｘ１）及び第２の充放電指令値（ｘ２）の種類（充電指令値［Ｗ］又は放電指令値［Ｗ］）や、ｘ１とｘ２との大小関係に基づき、図４に示す測定装置Ｍ２で測定される測定値は、図７に示すように６つの状態に分類できる。
【０１２８】
図７中、「ｘ２」及び「ｘ１」に対応する欄に記載された値には、「ｈ」及び「ｊ」の文字、及び、「１」乃至「６」の数字が添えられている。「１」乃至「６」の数字は、６つの状態の通番を示す。「ｈ」及び「ｊ」の文字は、各々、放電及び充電を示す。すなわち、「ｈ」を添えられている場合、それは放電指令値［Ｗ］であることを示す。一方、「ｊ」を添えられている場合、それは充電指令値［Ｗ］であることを示す。
【０１２９】
「ｘ２とｘ１との関係」に対応する欄には、各状態となる条件（ｘ２とｘ１の大小関係）が示されている。なお、当該欄に値が記載されていない状態が２つ存在する。これは、ｘ２とｘ１の種類が表記したもの（いずれも充電指令値［Ｗ］、又は、いずれも放電指令値［Ｗ］）を満たせば、大小関係に関係なく当該状態に分類されることを意味する。
【０１３０】
「Ｍ２測定値」に対応する欄には、各状態時に測定装置Ｍ２で測定される測定値が示されている。ここでは、ＰＣＳは統合充放電指令値［Ｗ］通りに入出力するものとする。すなわち、Ｍ２測定値は統合充放電指令値［Ｗ］を示す。
【０１３１】
ｘ１及びｘ２を用いて表された測定値と、「逆」及び「順」の文字が示されている。「逆」及び「順」の文字により、電力が流れる方向を示している。「逆」は下流側から上流側に向かう方向（放電方向）の値が測定されることを示し、「順」は上流側から下流側に向かう方向（充電方向）の値が測定されることを示す。
【０１３２】
第１の状態は、ｘ１及びｘ２いずれも放電指令値［Ｗ］である。かかる場合、ｘ１及びｘ２の大小関係に関わらず、Ｍ２の測定値は図示する状態となる。
第２の状態は、ｘ１は充電指令値［Ｗ］であり、ｘ２は放電指令値［Ｗ］である。そして、ｘ１がｘ２以上である。かかる場合、Ｍ２の測定値は図示する状態となる。
第３の状態は、ｘ１は充電指令値［Ｗ］であり、ｘ２は放電指令値［Ｗ］である。そして、ｘ２がｘ１より大である。かかる場合、Ｍ２の測定値は図示する状態となる。
第４の状態は、ｘ１は放電指令値［Ｗ］であり、ｘ２は充電指令値［Ｗ］である。そして、ｘ２がｘ１以上である。かかる場合、Ｍ２の測定値は図示する状態となる。
第５の状態は、ｘ１は放電指令値［Ｗ］であり、ｘ２は充電指令値［Ｗ］である。そして、ｘ１がｘ２より大である。かかる場合、Ｍ２の測定値は図示する状態となる。
第６の状態は、ｘ１及びｘ２いずれも充電指令値［Ｗ］である。かかる場合、ｘ１及びｘ２の大小関係に関わらず、測定装置Ｍ２の測定値は図示する状態となる。
【０１３３】
ここで、各Ｍ２測定値が測定される時間を文字「ｔ」と各種添え字で示す。ｔに添えられた「´」は、Ｍ２測定値が順方向の値であることを示し、「´´」はＭ２測定値が逆方向の値であることを示す。
【０１３４】
次に、第１の充放電指令値（ｘ１）、第２の充放電指令値（ｘ２）及び負荷の消費電力（Ｙ１乃至Ｙ６）に応じて、上記６つの状態は図７に示すように９つの状態に分類できる。なお、消費電力Ｙの添え字１乃至６は、上記６つの状態の通番に対応する。
【０１３５】
「ｘ２とｘ１とＹの関係」に対応する欄には、各状態となる条件（Ｍ２測定値とＹの大小関係）が示されている。なお、上記６つの状態のうちさらに細分化される状態に対してのみ、細分化の条件が示されている。
【０１３６】
「Ｍ１測定値」に対応する欄には、９つの状態各々の際に測定装置Ｍ１で測定される測定値が示されている。ここでは、ＰＣＳは統合充放電指令値［Ｗ］通りに入出力するものとする。
【０１３７】
ｘ１、ｘ２及びＹを用いて表された測定値と、「逆」及び「順」の文字が示されている。「逆」及び「順」の文字により、電力が流れる方向を示している。「逆」は下流側から上流側に向かう方向の値が測定されることを示し、「順」は上流側から下流側に向かう方向の値が測定されることを示す。
【０１３８】
ここで、各Ｍ１測定値が測定される時間を文字「ｔ」と各種添え字で示す。ｔに添えられた「´」は、Ｍ１測定値が順方向の値であることを示し、「´´」はＭ１測定値が逆方向の値であることを示す。
【０１３９】
このように、ｘ１及びｘ２の種類（充電又は放電）、ｘ１とｘ２の大小関係、Ｍ２測定値とＹとの大小関係等により、電力を分類できる。
【０１４０】
次に、図７の関係を用いて、電力小売り事業者が電力需要家に課金する課金対象の電力を検討する。電力小売り事業者は、電力系統の需給バランス調整のために電力需要家設備に供給された電力は課金対象とせず、電力需要家のため（電力系統の需給バランス調整以外の目的）に電力需要家設備に供給された電力を課金対象とする。
【０１４１】
まず、エネルギーマネジメントサービスで放電する時間帯を検討する。当該時間帯においては、負荷の消費電力Ｙ（Ｙ１乃至Ｙ６のいずれか）を相殺するため、蓄電池から放電（ｘ１ｈ１、ｘ１ｈ４及びｘ１ｈ５）される。負荷の消費電力Ｙ（Ｙ１乃至Ｙ６のいずれか）のうち、蓄電池からの放電で相殺された分は、課金対象とならない。
【０１４２】
しかし、エネルギーマネジメントサービス用の出力上限や、ＰＣＳの定格出力等により、ｘ１ｈ１、ｘ１ｈ４及びｘ１ｈ５の上限が定まる。Ｙが当該上限を超える場合、蓄電池による放電で相殺しきれない分が発生する。電力需要家は、この相殺しきれない分δＹ（Ｙ１からｘ１ｈ１を引いた分、Ｙ４からｘ１ｈ４を引いた分、又は、Ｙ５からｘ１ｈ５を引いた分）を電力系統から受電することとなる。そして、電力小売り事業者はこの分を課金対象とする。
【０１４３】
次に、エネルギーマネジメントサービスで充電する時間帯を検討する。当該時間帯においては、電力需要家は、蓄電池に充電する分（ｘ１ｊ２、ｘ１ｊ３及びｘ１ｊ６）、及び、負荷の消費電力Ｙいずれも、電力系統から受電することとなる。すなわち、電力需要家は、ΔＹ（Ｙ２とｘ１ｊ２の合計、Ｙ３とｘ１ｊ３との合計及びＹ６とｘ１ｊ６との合計）を電力系統から受電することとなる。そして、電力小売り事業者はこの分を課金対象とする。
【０１４４】
図８に、上記関係式を示す。そして、図９に、図７の表を図８の式で一部置き代えたものを示す。
【０１４５】
ここで、Ｚ時間の間に図９のＭ１測定値が順方向となるタイミングのＭ１測定値［Ｗ］の積分値Ｍ１（順）Ｚは、図１０の式（１５−１）のように示される。同様に、Ｚ時間の間に図９のＭ１測定値が逆方向となるタイミングのＭ１測定値［Ｗ］の積分値Ｍ１（逆）Ｚは、図１０の式（１５−２）のように示される。なお、図１１に示す関係で一部式を簡略化している（以下同様）。
【０１４６】
ここで、図９の表より、ｔ２２´が現れる時間幅と、ｔ１２´が現れる時間幅とは等しくなることが分かる。同様に、ｔ２４´が現れる時間幅と、ｔ１４´が現れる時間幅とは等しくなることが分かる。同様に、ｔ２６´が現れる時間幅と、ｔ１６´が現れる時間幅とは等しくなることが分かる。
【０１４７】
また、上述の通り、ｘ１ｈ１、ｘ１ｈ４及びｘ１ｈ５は、負荷の消費電力Ｙを相殺するためのものである。このため、ｘ１ｈ１、ｘ１ｈ４及びｘ１ｈ５は負荷の消費電力Ｙ以下となる。さらに、電力系統への逆潮流を抑制するために、ｘ１ｈ１、ｘ１ｈ４及びｘ１ｈ５を消費電力Ｙよりわずかに小さくするのが好ましい。かかる場合、ｘ１ｈ１、ｘ１ｈ４及びｘ１ｈ５は消費電力Ｙより小さくなる。かかる場合、図９に示されるｔ１５´´の状態となることはない。このため、上記同様に、ｔ２５´が現れる時間幅と、ｔ１５´が現れる時間幅とは等しくなることが分かる。
【０１４８】
この関係に基づき、式（１５−１）のｔ１２´、ｔ１４´、ｔ１５´及びｔ１６´を置き代えると、式（１５−３）のようになる。
【０１４９】
式（１５−３）は、式（１５−４）のように変形できる。式（１５−４）において下線で示す項が、上記課金対象を示す。また、式（１５−２）は、式（１５−５）のように変形できる。そして、式（１５−５）において下線で示す項の符号を逆転させたものが、上記課金対象を示す。
【０１５０】
式（１５−４）の下線で示す項、及び、式（１５−５）において下線で示す項の符号を逆転させたものを足し合わせることで算出される「電力小売り事業者が課金すべき順潮流成分の電力量」は、図１２の式で示される。
【０１５１】
ところで、図９の表より、ｔ２１´が現れる時間幅と、ｔ１１´及びｔ１１´´のいずれかが現れる時間幅とは等しくなることが分かる。同様に、ｔ２３´が現れる時間幅と、ｔ３１´及びｔ１３´´のいずれかが現れる時間幅とは等しくなることが分かる。
【０１５２】
図１２に示すように当該関係に基づき当該式を変形すると、図１２の最も下に示される式が得られる。図１２の最も下に示される式を抜き出したものを図１３に示す。
【０１５３】
当該式の第１項は、Ｚ時間の間に測定装置Ｍ１で測定された順方向の電力の積分値（第１の測定値）である。当該式の第２項は、Ｚ時間の間に測定装置Ｍ１で測定された逆方向の電力の積分値（第２の測定値）である。
【０１５４】
当該式の第３項は、測定装置Ｍ２で測定されるアンシラリーサービス用の放電電力量（Ｗｈ）であり、第２の充放電指令値［Ｗ］であるｘ２ｈ１、ｘ２ｈ２及びｘ２ｈ３各々を積分し、それらを足し合わせることで算出できる。当該式の第４項は、測定装置Ｍ２で測定されるアンシラリーサービス用の充電電力量（Ｗｈ）であり、第２の充放電指令値［Ｗ］であるｘ２ｊ４、ｘ２ｊ５及びｘ２ｊ６各々を積分し、それらを足し合わせることで算出できる。
【０１５５】
以上により、第１の実施形態の構成に対応した算出式が得られた。次に、第２の実施形態に対応した算出式が導き出される過程を説明する。ここからは、ＰＣＳは統合充放電指令値［Ｗ］通りに入出力していない可能性があるものとする。
【０１５６】
ここで、第１の充放電指令値（ｘ１）に基づいてＰＣＳ及び蓄電池が動作した場合にＰＣＳから出力される充放電実測値をＸ１とし、第２の充放電指令値（ｘ２）に基づいてＰＣＳ及び蓄電池が動作した場合にＰＣＳから出力される充放電実測値をＸ２とする。
【０１５７】
Ｚ時間におけるｘ１の積分値とｘ２の積分値との和をＣ（Ｚ）とし、Ｚ時間におけるＸ１の積分値とＸ２の積分値との和をＤ（Ｚ）とすると、図１４のように示される。本実施例では、図１５の関係式に基づき、補正係数Ａを算出する。
【０１５８】
ここで、Ｚ時間の間に図４の測定装置Ｍ２で測定される順方向の測定値［Ｗ］の積分値Ｍ２（順）Ｚ、及び、逆方向の測定値［Ｗ］の積分値Ｍ２（逆）Ｚは、図７の表より、図１６のように示される。
【０１５９】
本実施例では、図１６の式から得られる図１７の式に基づき、補正係数Ａを算出する。そして、第２の実施形態に対応した算出式は、図１３及び補正係数Ａを用いて、図１８のように導き出される。すなわち、第２の充放電指令値［Ｗ］（ｘ２ｈ１、ｘ２ｈ２、ｘ２ｈ３、ｘ２ｊ４、ｘ２ｊ５及びｘ２ｊ６）を補正係数Ａで補正した値に基づき、課金対象の電力量［Ｗｈ］を算出する。
【０１６０】
なお、第３の実施形態の構成に対応した算出式は、図１３及び図１８の算出式におけるＭ１（順）Ｚ及びＭ１（逆）Ｚを、各々、Ｍ３（順）Ｚ及びＭ３（逆）Ｚに置き代えることで得られる。Ｍ３（順）Ｚは、Ｚ時間の間に測定装置Ｍ３（図５及び図６参照）で測定された順方向の電力の積分値である。Ｍ３（逆）Ｚは、Ｚ時間の間に測定装置Ｍ３（図５及び図６参照）で測定された逆方向の電力の積分値である。
【０１６１】
ところで、本実施例においては、一般送配電事業者が把握すべき電力量［Ｗｈ］として、所定期間内にアンシラリーサービスのために充電した充電電力量［Ｗｈ］、及び、所定期間内にアンシラリーサービスのために放電した放電電力量［Ｗｈ］が考えられる。
【０１６２】
これらの値は、第２の充放電指令値［Ｗ］を用いて算出できる。すなわち、算出部１２は、所定期間内における第２の充放電指令値［Ｗ］の中の放電指令値［Ｗ］の積算値［Ｗｈ］や、所定期間内における第２の充放電指令値［Ｗ］の中の充電指令値［Ｗ］の積算値［Ｗｈ］等を算出すればよい。
【０１６３】
なお、第２の実施形態の構成の場合、第２の充放電指令値［Ｗ］及び補正係数を用いてこれらの値を算出できる。すなわち、算出部１２は、所定期間内における第２の充放電指令値［Ｗ］の中の放電指令値［Ｗ］を補正係数で補正した補正後の放電指令値の積算値［Ｗｈ］や、所定期間内における第２の充放電指令値［Ｗ］の中の充電指令値［Ｗ］を補正係数で補正した補正後の充電指令値の積算値［Ｗｈ］等を算出すればよい。
【０１６４】
また、算出部１２は、所定期間内における各種第２の充放電指令値［Ｗ］（ｘ２ｈ１、ｘ２ｈ２、ｘ２ｈ３、ｘ２ｊ４、ｘ２ｊ５及びｘ２ｊ６）各々の積算値を算出したり、各種第２の充放電指令値［Ｗ］を補正係数Ａで補正した値の積算値を算出したりすることで、各種電力の電力量［Ｗｈ］を算出することができる。
【０１６５】
同様に、算出部１２は、所定期間内における各種第１の充放電指令値［Ｗ］（ｘ１ｈ１、ｘ１ｊ２、ｘ１ｊ３、ｘ１ｈ４、ｘ１ｈ５及びｘ１ｊ６）各々の積算値を算出したり、各種第１の充放電指令値［Ｗ］を補正係数Ａで補正した値の積算値を算出したりすることで、各種電力の電力量［Ｗｈ］を算出することができる。
【０１６６】
また、算出部１２は、１種類又は複数種類の放電指令値［Ｗ］に基づき算出された１つ又は複数の上記積算値、及び、１種類又は複数種類の充電指令値［Ｗ］に基づき算出された１つ又は複数の上記の積算値の中の２つ以上の積算値を用い、所定の演算で、各種電力の電力量［Ｗｈ］を算出することができる。
【０１６７】
＜第２の実施例＞
本実施例では、第１の充放電指令値［Ｗ］は、電力需要家のために充放電させる指令値である。例えば、第１の充放電指令値［Ｗ］は、インバランス回避サービスや余剰電力吸収サービスのための充放電指令値［Ｗ］である。電力需要家は、これらのサービスに参加し、所定のインセンティブを受ける。
【０１６８】
第２の充放電指令値［Ｗ］は、電力系統の需給バランス調整のために充放電させる指令値である。すなわち、第２の充放電指令値［Ｗ］は、第１の実施形態で説明したＬＦＣ制御（アンシラリーサービス）のための充放電指令値［Ｗ］、ＧＦ制御（アンシラリーサービス）のための充放電指令値［Ｗ］、又は、これら両方である。
【０１６９】
本実施例では、電力小売り事業者は、第１の充放電指令値［Ｗ］に基づき放電した電力量［Ｗｈ］や、第１の充放電指令値［Ｗ］に基づき充電した電力量［Ｗｈ］や、負荷の電力消費総量［Ｗｈ］等を把握する必要がある。
【０１７０】
第１の充放電指令値［Ｗ］に基づき放電した電力量［Ｗｈ］や、第１の充放電指令値［Ｗ］に基づき充電した電力量［Ｗｈ］は、所定期間内における第１の充放電指令値［Ｗ］の中の放電指令値［Ｗ］の積算値［Ｗｈ］や、当該放電指令値［Ｗ］を補正係数で補正した値の積算値［Ｗｈ］や、所定期間内における第１の充放電指令値［Ｗ］の中の充電指令値［Ｗ］の積算値［Ｗｈ］や、当該充電指令値［Ｗ］を補正係数で補正した値の積算値［Ｗｈ］等を算出すればよい。
【０１７１】
ここで、図７の表より、Ｚ時間の間に図７のＭ１測定値が順方向となるタイミングのＭ１測定値［Ｗ］の積分値Ｍ１（順）Ｚは、図１９の式のように示される。同様に、Ｚ時間の間に図７のＭ１測定値が逆方向となるタイミングのＭ１測定値［Ｗ］の積分値Ｍ１（逆）Ｚは、図１９の式のように示される。なお、図１１に示す関係で一部式を簡略化している（以下同様）。
【０１７２】
なお、第１の実施例では、ｔ１５´´の状態（図７参照）が現れることはなかったが、本実施例では当該状態を考慮する必要がある。
【０１７３】
図１９の式より、「Ｍ１（順）Ｚ−Ｍ１（逆）Ｚ」は図２０のように表される。そして、図７より導かれる上述した「ｔ２１´´」と「ｔ１１´及びｔ１１´´」との関係、「ｔ２２´」と「ｔ１２´」との関係、「ｔ２３´´」と「ｔ１３´及びｔ１３´´」との関係、「ｔ２４´」と「ｔ１４´」との関係、「ｔ２５´´」と「ｔ１５´及びｔ１５´´」との関係、及び、「ｔ２６´」と「ｔ１６´」との関係に基づき、図２０に示すように式を変形していくと、図２０の最も下に示される式が得られる。なお、当該式は、補正係数Ａを用いて第１の実施例と同様の表すこともできる。
【０１７４】
当該式の各項は、図２１に示すように表現することができる。例えば、算出部１２は、図２０や図２１に基づき、負荷の電力消費総量［Ｗｈ］等を算出してもよい。Ｍ１（順）Ｚ及びＭ１（逆）Ｚは測定装置Ｍ１から取得できる。ｘ１の充電総量、ｘ１の放電総量、ｘ２の充電総量及びｘ２の放電総量は、第１の充放電指令値［Ｗ］及び第２の充放電指令値［Ｗ］に基づき算出できる。なお、補正係数Ａで補正後の第１の充放電指令値［Ｗ］及び第２の充放電指令値［Ｗ］に基づき算出してもよい。
【０１７５】
さらに、算出部１２は、インバランス回避サービスや余剰電力吸収サービスにおけるインセンティブ対象の電力量［Ｗｈ］（＝負荷の電力消費総量＋（ｘ１の充電総量−ｘ１の放電総量）を、当該式と図２１に示す算出式から導かれた図２２の算出式で算出してもよい。
【０１７６】
＜第３の実施例＞
本実施例では、第１の充放電指令値［Ｗ］は、電力需要家のために充放電させる指令値である。例えば、第１の充放電指令値［Ｗ］は、インバランス回避サービスや余剰電力吸収サービスのための充放電指令値［Ｗ］である。電力需要家は、これらのサービスに参加し、所定のインセンティブを受ける。
【０１７７】
第２の充放電指令値［Ｗ］は、電力系統の需給バランス調整のために充放電させる指令値である。すなわち、第２の充放電指令値［Ｗ］は、第１の実施形態で説明したＬＦＣ制御（アンシラリーサービス）のための充放電指令値［Ｗ］、ＧＦ制御（アンシラリーサービス）のための充放電指令値［Ｗ］、又は、これら両方である。
【０１７８】
そして、本実施例では、第３の実施形態で説明したように、需要家設備がＰＶと、測定装置Ｍ３とを有する（図５及び図６参照）。
【０１７９】
本実施例の場合、考慮すべきはＰＶで発電した電力の一部（負荷や蓄電池で消費されなかった分）を売電している場合である。本実施例においては、「電力小売り事業者が電力需要家に課金又はインセンティブを付与すべき電力量（Ｗｈ）」と、「ＰＶで発電した電力の内の売電できる電力量（Ｗｈ）」とを把握する必要がある。
【０１８０】
第２の実施例で説明した図２１の式のＭ１（順）ＺをＭ３（順）Ｚで置き換え、Ｍ１（逆）ＺをＭ３（逆）Ｚで置き代えると、図２３の算出式が得られる。Ｍ３（順）Ｚは、Ｚ時間の間に測定装置Ｍ３（図５及び図６参照）で測定された順方向の電力の積分値である。Ｍ３（逆）Ｚは、Ｚ時間の間に測定装置Ｍ３（図５及び図６参照）で測定された逆方向の電力の積分値である。
【０１８１】
「ＰＰＳｚ＝負荷の電力消費総量＋（ｘ１の充電総量−ｘ１の放電総量）」とおくと、図２３の式及び図９の表より、ＰＰＳｚは図２４のように表される。
【０１８２】
ここで、ＰＶｊ＝Ｍ３（順）Ｚ−Ｍ１（順）Ｚの式により、所定時間ＺにおいてＰＶで発電された電力量［Ｗｈ］のうち、電力需要家設備内で消費された電力量ＰＶｊを算出できる。
【０１８３】
また、ＰＶｇ＝Ｍ１（逆）Ｚ−Ｍ３（逆）Ｚの式により、所定時間ＺにおいてＰＶで発電された電力量［Ｗｈ］のうち、電力系統に逆潮流された電力量ＰＶｇを算出できる。
【０１８４】
ＰＶｊ≧ＰＰＳｚの場合、「ＰＶｊ−ＰＰＳｚ」とＰＶｇとの和を、売電できる電力量［Ｗｈ］とすることができる。この場合、電力小売り事業者が課金する電力量は「０」である。図２５に、売電できる電力量［Ｗｈ］の算出式の例を示す。
【０１８５】
ＰＶｊ＜ＰＰＳｚの場合、「ＰＰｓｚ−ＰＶｊ」が、電力小売り事業者が電力需要家に課金すべき順潮流の電力量［Ｗｈ］となる。図２６に、電力小売り事業者が電力需要家に課金すべき順潮流の電力量［Ｗｈ］の算出式の例を示す。
【０１８６】
以下、参考形態の例を付記する。
１．  複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得手段と、
前記取得手段が取得した情報に基づき、各種電力の電力量［Ｗｈ］を算出する算出手段と、
を有する処理装置。
２．  １に記載の処理装置において、
前記取得手段は、前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値をさらに取得する処理装置。
３．  ２に記載の処理装置において、
前記算出手段は、
複数種類の前記充放電指令値［Ｗ］に基づき算出された統合充放電指令値［Ｗ］、又は、前記統合充放電指令値［Ｗ］の積算値［Ｗｈ］から、前記充放電実測値を算出する補正係数を算出し、
前記補正係数で補正後の前記充放電指令値［Ｗ］に基づき、各種電力の電力量［Ｗｈ］を算出する処理装置。
４．  ３に記載の処理装置において、
前記算出手段は、所定時間帯毎に前記補正係数を算出し、各時間帯に対応する前記補正係数で補正後の前記充放電指令値［Ｗ］に基づき、各種電力の電力量［Ｗｈ］を算出する処理装置。
５．  １から４のいずれかに記載の処理装置において、
第１の前記充放電指令値［Ｗ］は、電力需要家のために充放電させる指令値であり、
第２の前記充放電指令値［Ｗ］は、前記電力系統の需給バランス調整のために充放電させる指令値であり、
前記算出手段は、以下の算出式により、電力小売り事業者が前記電力需要家に課金する課金対象の電力量［Ｗｈ］を算出する処理装置。
（課金対象の電力量［Ｗｈ］）＝（所定期間内における前記第１の測定値［Ｗｈ］）−（前記所定期間内における前記第２の測定値［Ｗｈ］）＋（前記所定期間内における前記第２の充放電指令値［Ｗ］の中の放電指令値［Ｗ］の積算値［Ｗｈ］）−（前記所定期間内における前記第２の充放電指令値［Ｗ］の中の充電指令値［Ｗ］の積算値［Ｗｈ］）
６．  ３又は４に記載の処理装置において、
第１の前記充放電指令値［Ｗ］は、前記電力需要家のために充放電させる指令値であり、
第２の前記充放電指令値［Ｗ］は、前記電力系統の需給バランス調整のために充放電させる指令値であり、
前記算出手段は、以下の算出式により、電力小売り事業者が電力需要家に課金する課金対象の電力量［Ｗｈ］を算出する処理装置。
（課金対象の電力量［Ｗｈ］）＝（所定期間内における前記第１の測定値［Ｗｈ］）−（前記所定期間内における前記第２の測定値［Ｗｈ］）＋（前記所定期間内における前記第２の充放電指令値［Ｗ］の中の放電指令値［Ｗ］を前記補正係数で補正した補正後の前記放電指令値［Ｗ］の積算値［Ｗｈ］）−（前記所定期間内における前記第２の充電指令値［Ｗ］の中の充電指令値［Ｗ］を前記補正係数で補正した補正後の前記充電指令値［Ｗ］の積算値［Ｗｈ］）
７．  ３又は４に記載の処理装置において、
前記算出手段は、
（１） 所定期間内における所定種類の前記充放電指令値［Ｗ］の中の放電指令値［Ｗ］を前記補正係数で補正した補正後の前記放電指令値［Ｗ］の積算値［Ｗｈ］、
（２） 前記所定期間内における所定種類の前記充放電指令値［Ｗ］の中の充電指令値［Ｗ］を前記補正係数で補正した補正後の前記充電指令値［Ｗ］の積算値［Ｗｈ］、及び、
（３） １種類又は複数種類の前記放電指令値［Ｗ］に基づき算出された１つ又は複数の前記（１）の積算値、及び、１種類又は複数種類の前記充電指令値［Ｗ］に基づき算出された１つ又は複数の前記（２）の積算値の中の２つ以上の積算値を用い、所定の演算で算出した電力量［Ｗｈ］、
の中の少なくとも１つを算出する処理装置。
８．  複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得手段と、
前記取得手段が取得した情報に基づき、各種電力の電力量［Ｗｈ］を算出する算出手段と、
を有する処理装置。
９．  ８に記載の処理装置において、
前記算出手段は、
複数種類の前記充放電指令値［Ｗ］に基づき算出された統合充放電指令値［Ｗ］、又は、前記統合充放電指令値［Ｗ］の積算値［Ｗｈ］から、前記充放電実測値を算出する補正係数を算出し、
前記補正係数で補正後の前記充放電指令値［Ｗ］に基づき、各種電力の電力量［Ｗｈ］を算出する処理装置。
１０．  ９に記載の処理装置において、
前記算出手段は、所定時間帯毎に前記補正係数を算出し、各時間帯に対応する前記補正係数で補正後の前記充放電指令値［Ｗ］に基づき、各種電力の電力量［Ｗｈ］を算出する処理装置。
１１．  ８から１０のいずれかに記載の処理装置において、
前記算出手段は、
（１） 所定期間内における所定種類の前記充放電指令値［Ｗ］の中の放電指令値［Ｗ］を前記補正係数で補正した補正後の前記放電指令値［Ｗ］の積算値［Ｗｈ］、
（２） 前記所定期間内における所定種類の前記充放電指令値［Ｗ］の中の充電指令値［Ｗ］を前記補正係数で補正した補正後の前記充電指令値［Ｗ］の積算値［Ｗｈ］、及び、
（３） １種類又は複数種類の前記放電指令値［Ｗ］に基づき算出された１つ又は複数の前記（１）の積算値、及び、１種類又は複数種類の前記充電指令値［Ｗ］に基づき算出された１つ又は複数の前記（２）の積算値の中の２つ以上を用い、所定の演算で算出した電力量［Ｗｈ］、
の中の少なくとも１つを算出する処理装置。
１２．  コンピュータが、
複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得工程と、
前記取得工程で取得した情報に基づき、各種電力の電力量［Ｗｈ］を算出する算出工程と、
を実行する処理方法。
１２−２．  １２に記載の処理方法において、
前記取得工程では、前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値をさらに取得する処理方法。
１２−３．  １２−２に記載の処理方法において、
前記算出工程では、
複数種類の前記充放電指令値［Ｗ］に基づき算出された統合充放電指令値［Ｗ］、又は、前記統合充放電指令値［Ｗ］の積算値［Ｗｈ］から、前記充放電実測値を算出する補正係数を算出し、
前記補正係数で補正後の前記充放電指令値［Ｗ］に基づき、各種電力の電力量［Ｗｈ］を算出する処理方法。
１２−４．  １２−３に記載の処理方法において、
前記算出工程では、所定時間帯毎に前記補正係数を算出し、各時間帯に対応する前記補正係数で補正後の前記充放電指令値［Ｗ］に基づき、各種電力の電力量［Ｗｈ］を算出する処理方法。
１２−５．  １２から１２−４のいずれかに記載の処理方法において、
第１の前記充放電指令値［Ｗ］は、電力需要家のために充放電させる指令値であり、
第２の前記充放電指令値［Ｗ］は、前記電力系統の需給バランス調整のために充放電させる指令値であり、
前記算出工程では、以下の算出式により、電力小売り事業者が前記電力需要家に課金する課金対象の電力量［Ｗｈ］を算出する処理方法。
（課金対象の電力量［Ｗｈ］）＝（所定期間内における前記第１の測定値［Ｗｈ］）−（前記所定期間内における前記第２の測定値［Ｗｈ］）＋（前記所定期間内における前記第２の充放電指令値［Ｗ］の中の放電指令値［Ｗ］の積算値［Ｗｈ］）−（前記所定期間内における前記第２の充放電指令値［Ｗ］の中の充電指令値［Ｗ］の積算値［Ｗｈ］）
１２−６．  １２−３又は１２−４に記載の処理方法において、
第１の前記充放電指令値［Ｗ］は、前記電力需要家のために充放電させる指令値であり、
第２の前記充放電指令値［Ｗ］は、前記電力系統の需給バランス調整のために充放電させる指令値であり、
前記算出工程では、以下の算出式により、電力小売り事業者が電力需要家に課金する課金対象の電力量［Ｗｈ］を算出する処理方法。
（課金対象の電力量［Ｗｈ］）＝（所定期間内における前記第１の測定値［Ｗｈ］）−（前記所定期間内における前記第２の測定値［Ｗｈ］）＋（前記所定期間内における前記第２の充放電指令値［Ｗ］の中の放電指令値［Ｗ］を前記補正係数で補正した補正後の前記放電指令値［Ｗ］の積算値［Ｗｈ］）−（前記所定期間内における前記第２の充電指令値［Ｗ］の中の充電指令値［Ｗ］を前記補正係数で補正した補正後の前記充電指令値［Ｗ］の積算値［Ｗｈ］）
１２−７．  １２−３又は１２−４に記載の処理方法において、
前記算出工程では、
（１） 所定期間内における所定種類の前記充放電指令値［Ｗ］の中の放電指令値［Ｗ］を前記補正係数で補正した補正後の前記放電指令値［Ｗ］の積算値［Ｗｈ］、
（２） 前記所定期間内における所定種類の前記充放電指令値［Ｗ］の中の充電指令値［Ｗ］を前記補正係数で補正した補正後の前記充電指令値［Ｗ］の積算値［Ｗｈ］、及び、
（３） １種類又は複数種類の前記放電指令値［Ｗ］に基づき算出された１つ又は複数の前記（１）の積算値、及び、１種類又は複数種類の前記充電指令値［Ｗ］に基づき算出された１つ又は複数の前記（２）の積算値の中の２つ以上の積算値を用い、所定の演算で算出した電力量［Ｗｈ］、
の中の少なくとも１つを算出する処理方法。
１３．  コンピュータを、
複数種類の充放電指令値［Ｗ］に基づき充放電を行う蓄電池及び配電線を備える電力需要家設備に電力系統から供給された電力量［Ｗｈ］を測定した第１の測定値と、前記電力需要家設備から前記電力系統に供給された電力量［Ｗｈ］を測定した第２の測定値と、少なくとも１種類の前記充放電指令値［Ｗ］と、を取得する取得手段、
前記取得手段が取得した情報に基づき、各種電力の電力量［Ｗｈ］を算出する算出手段、
として機能させるプログラム。
１３−２．  １３に記載のプログラムにおいて、
前記取得手段は、前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値をさらに取得するプログラム。
１３−３．  １３−２に記載のプログラムにおいて、
前記算出手段は、
複数種類の前記充放電指令値［Ｗ］に基づき算出された統合充放電指令値［Ｗ］、又は、前記統合充放電指令値［Ｗ］の積算値［Ｗｈ］から、前記充放電実測値を算出する補正係数を算出し、
前記補正係数で補正後の前記充放電指令値［Ｗ］に基づき、各種電力の電力量［Ｗｈ］を算出するプログラム。
１３−４．  １３−３に記載のプログラムにおいて、
前記算出手段は、所定時間帯毎に前記補正係数を算出し、各時間帯に対応する前記補正係数で補正後の前記充放電指令値［Ｗ］に基づき、各種電力の電力量［Ｗｈ］を算出するプログラム。
１３−５．  １３から１３−４のいずれかに記載のプログラムにおいて、
第１の前記充放電指令値［Ｗ］は、電力需要家のために充放電させる指令値であり、
第２の前記充放電指令値［Ｗ］は、前記電力系統の需給バランス調整のために充放電させる指令値であり、
前記算出手段は、以下の算出式により、電力小売り事業者が前記電力需要家に課金する課金対象の電力量［Ｗｈ］を算出するプログラム。
（課金対象の電力量［Ｗｈ］）＝（所定期間内における前記第１の測定値［Ｗｈ］）−（前記所定期間内における前記第２の測定値［Ｗｈ］）＋（前記所定期間内における前記第２の充放電指令値［Ｗ］の中の放電指令値［Ｗ］の積算値［Ｗｈ］）−（前記所定期間内における前記第２の充放電指令値［Ｗ］の中の充電指令値［Ｗ］の積算値［Ｗｈ］）
１３−６．  １３−３又は１３−４に記載のプログラムにおいて、
第１の前記充放電指令値［Ｗ］は、前記電力需要家のために充放電させる指令値であり、
第２の前記充放電指令値［Ｗ］は、前記電力系統の需給バランス調整のために充放電させる指令値であり、
前記算出手段は、以下の算出式により、電力小売り事業者が電力需要家に課金する課金対象の電力量［Ｗｈ］を算出するプログラム。
（課金対象の電力量［Ｗｈ］）＝（所定期間内における前記第１の測定値［Ｗｈ］）−（前記所定期間内における前記第２の測定値［Ｗｈ］）＋（前記所定期間内における前記第２の充放電指令値［Ｗ］の中の放電指令値［Ｗ］を前記補正係数で補正した補正後の前記放電指令値［Ｗ］の積算値［Ｗｈ］）−（前記所定期間内における前記第２の充電指令値［Ｗ］の中の充電指令値［Ｗ］を前記補正係数で補正した補正後の前記充電指令値［Ｗ］の積算値［Ｗｈ］）
１３−７．  １３−３又は１３−４に記載のプログラムにおいて、
前記算出手段は、
（１） 所定期間内における所定種類の前記充放電指令値［Ｗ］の中の放電指令値［Ｗ］を前記補正係数で補正した補正後の前記放電指令値［Ｗ］の積算値［Ｗｈ］、
（２） 前記所定期間内における所定種類の前記充放電指令値［Ｗ］の中の充電指令値［Ｗ］を前記補正係数で補正した補正後の前記充電指令値［Ｗ］の積算値［Ｗｈ］、及び、
（３）１種類又は複数種類の前記放電指令値［Ｗ］に基づき算出された１つ又は複数の前記（１）の積算値、及び、１種類又は複数種類の前記充電指令値［Ｗ］に基づき算出された１つ又は複数の前記（２）の積算値の中の２つ以上の積算値を用い、所定の演算で算出した電力量［Ｗｈ］、
の中の少なくとも１つを算出するプログラム。
１４．  コンピュータが、
複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得工程と、
前記取得工程で取得した情報に基づき、各種電力の電力量［Ｗｈ］を算出する算出工程と、
を実行する処理方法。
１４−２．  １４に記載の処理方法において、
前記算出手工程では、
複数種類の前記充放電指令値［Ｗ］に基づき算出された統合充放電指令値［Ｗ］、又は、前記統合充放電指令値［Ｗ］の積算値［Ｗｈ］から、前記充放電実測値を算出する補正係数を算出し、
前記補正係数で補正後の前記充放電指令値［Ｗ］に基づき、各種電力の電力量［Ｗｈ］を算出する処理方法。
１４−３．  １４−２に記載の処理方法において、
前記算出工程では、所定時間帯毎に前記補正係数を算出し、各時間帯に対応する前記補正係数で補正後の前記充放電指令値［Ｗ］に基づき、各種電力の電力量［Ｗｈ］を算出する処理方法。
１４−４．  １４から１４−３のいずれかに記載の処理方法において、
前記算出手段は、
（１） 所定期間内における所定種類の前記充放電指令値［Ｗ］の中の放電指令値［Ｗ］を前記補正係数で補正した補正後の前記放電指令値［Ｗ］の積算値［Ｗｈ］、
（２） 前記所定期間内における所定種類の前記充放電指令値［Ｗ］の中の充電指令値［Ｗ］を前記補正係数で補正した補正後の前記充電指令値［Ｗ］の積算値［Ｗｈ］、及び、
（３） １種類又は複数種類の前記放電指令値［Ｗ］に基づき算出された１つ又は複数の前記（１）の積算値、及び、１種類又は複数種類の前記充電指令値［Ｗ］に基づき算出された１つ又は複数の前記（２）の積算値の中の２つ以上を用い、所定の演算で算出した電力量［Ｗｈ］、
の中の少なくとも１つを算出する処理方法。
１５．  コンピュータを、
複数種類の充放電指令値［Ｗ］に基づき充放電を行う蓄電池及び配電線を備える電力需要家設備の前記蓄電池に充電された電力［Ｗ］及び／又は電力量［Ｗｈ］、及び、前記蓄電池から放電された電力［Ｗ］及び／又は電力量［Ｗｈ］であって、前記配電線上に設置された測定装置により測定された充放電実測値と、少なくとも１種類の前記充放電指令値［Ｗ］と、を取得する取得手段、
前記取得手段が取得した情報に基づき、各種電力の電力量［Ｗｈ］を算出する算出手段、
として機能させるプログラム。
１５−２．  １５に記載のプログラムにおいて、
前記算出手段は、
複数種類の前記充放電指令値［Ｗ］に基づき算出された統合充放電指令値［Ｗ］、又は、前記統合充放電指令値［Ｗ］の積算値［Ｗｈ］から、前記充放電実測値を算出する補正係数を算出し、
前記補正係数で補正後の前記充放電指令値［Ｗ］に基づき、各種電力の電力量［Ｗｈ］を算出するプログラム。
１５−３．  １５−２に記載のプログラムにおいて、
前記算出手段は、所定時間帯毎に前記補正係数を算出し、各時間帯に対応する前記補正係数で補正後の前記充放電指令値［Ｗ］に基づき、各種電力の電力量［Ｗｈ］を算出するプログラム。
１５−４．  １５から１５−４のいずれかに記載のプログラムにおいて、
前記算出手段は、
（１） 所定期間内における所定種類の前記充放電指令値［Ｗ］の中の放電指令値［Ｗ］を前記補正係数で補正した補正後の前記放電指令値［Ｗ］の積算値［Ｗｈ］、
（２） 前記所定期間内における所定種類の前記充放電指令値［Ｗ］の中の充電指令値［Ｗ］を前記補正係数で補正した補正後の前記充電指令値［Ｗ］の積算値［Ｗｈ］、及び、
（３） １種類又は複数種類の前記放電指令値［Ｗ］に基づき算出された１つ又は複数の前記（１）の積算値、及び、１種類又は複数種類の前記充電指令値［Ｗ］に基づき算出された１つ又は複数の前記（２）の積算値の中の２つ以上を用い、所定の演算で算出した電力量［Ｗｈ］、
の中の少なくとも１つを算出するプログラム。
【符号の説明】
【０１８７】
１Ａ    プロセッサ
２Ａ    メモリ
３Ａ    入出力Ｉ／Ｆ
４Ａ    周辺回路
５Ａ    バス
１０    処理装置
１１    取得部
１２    算出部
【図１】
0006701965.tif 000002
【図２】
0006701965.tif 000003
【図３】
0006701965.tif 000004
【図４】
0006701965.tif 000005
【図５】
0006701965.tif 000006
【図６】
0006701965.tif 000007
【図７】
0006701965.tif 000008
【図８】
0006701965.tif 000009
【図９】
0006701965.tif 000010
【図１０】
0006701965.tif 000011
【図１１】
0006701965.tif 000012
【図１２】
0006701965.tif 000013
【図１３】
0006701965.tif 000014
【図１４】
0006701965.tif 000015
【図１５】
0006701965.tif 000016
【図１６】
0006701965.tif 000017
【図１７】
0006701965.tif 000018
【図１８】
0006701965.tif 000019
【図１９】
0006701965.tif 000020
【図２０】
0006701965.tif 000021
【図２１】
0006701965.tif 000022
【図２２】
0006701965.tif 000023
【図２３】
0006701965.tif 000024
【図２４】
0006701965.tif 000025
【図２５】
0006701965.tif 000026
【図２６】
0006701965.tif 000027